(57)【要約】【課題】組付部品を上下反転させた場合でも誤組付けできてしまう組合せをなくすことができて、全ての組合せを有効に活用することができる誤組付防止構造を提供する。【解決手段】組付部品であるスイッチ装置４を、対応する適正な取付穴１に挿入して組み付けるための誤組付防止構造であって、取付穴１における対向する上下２辺にそれぞれガイド凹部１０を設けるとともに、スイッチ装置４のスイッチケース５における対向する上下２辺に前記ガイド凹部１０と嵌合するガイド凸部１１を設ける。ガイド凸部１１およびガイド凹部１０の形状は、正面から見て左右非対称とする。【選択図】図１
2014154427.tif 000002
【特許請求の範囲】
【請求項１】
組付部品を、対応する適正な取付穴に挿入して組み付けるための誤組付防止構造であって、
前記組付部品および前記取付穴のうちの一方における対向する２辺にそれぞれガイド凸部を有するとともに、他方における対向する２辺に前記ガイド凸部が嵌合するガイド凹部を有し、
前記ガイド凸部および前記ガイド凹部の形状は、正面から見て左右非対称であることを特徴とする誤組付防止構造。
【請求項２】
前記ガイド凸部および前記ガイド凹部の形状は、正面から見て左右非対称の三角形であることを特徴とする請求項１記載の誤組付防止構造。
【請求項３】
前記ガイド凸部および前記ガイド凹部は、対向する２辺で同じ方向を向いていることを特徴とする請求項１または２記載の誤組付防止構造。
【発明の詳細な説明】
【技術分野】
【０００１】
本発明は、組付部品を、対応する適正な取付穴に挿入して組み付けるための誤組付防止構造に関する。
【背景技術】
【０００２】
例えば組付部品としてのスイッチ装置を取付穴に挿入して組み付ける場合において、誤組付を防止する構造の一例を図８および図９に示す。図８において、スイッチ装置５１は、スイッチケース５２と、当該スイッチケース５２の前部に押圧操作可能に設けられた押釦５３を備えている。スイッチケース５２の内部には、押釦５３の押圧操作に基づきオンオフ操作されるスイッチ要素（図示せず）が設けられている。スイッチケース５２は、矩形筒状をなしていて、前部の外周部に鍔部５２ａを一体に有している。これに対して、スイッチ装置５１が取り付けられるパネル部５４には、スイッチケース５２の鍔部５２ａを収容し得る矩形凹状の収容部５５が設けられ、この収容部５５の底部に、スイッチケース５２を挿入することが可能な矩形状の取付穴５６が形成されている。取付穴５６の外周部には、鍔部５２ａを受ける受部５５ａが設けられている。
【０００３】
図９（ａ）に示すように、取付穴５６の外周部のうち、対向する左右の２側辺には、矩形状のガイド凹部５７が設けられている。この場合、ガイド凹部５７は、正面から見て左側に２個、右側に１個配置されている。各ガイド凹部５７は、受部５５ａに設けられていて、取付穴５６側が開口して該取付穴５６に連通している。そして、スイッチ装置５１におけるスイッチケース５２の外周部には、図９（ｂ）に示すように、前記ガイド凹部５７に対応してガイド凸部５８が設けられている。なお、図９（ｂ）においては、図面の複雑化を避けるため、スイッチケース５２の内部は省略されている。ガイド凸部５８は、スイッチケース５２の外周部のうち左側面には２個設けられ、右側面には１個設けられている。各ガイド凸部５８は、前方の正面から見た断面形状が、ガイド凹部５７に対応する矩形状で、スイッチ装置５１の取付方向である前後方向に延びていて、対応するガイド凹部５７に嵌合可能とされている。
【０００４】
しかして、スイッチ装置５１を取付穴５６に取り付ける場合、２個のガイド凸部５８がある側を左側にした状態で、３個の各ガイド凸部５８を、対応する各ガイド凹部５７に嵌合させながら、スイッチケース５２を取付穴５６に挿入する。そして、スイッチケース５２の鍔部５２ａを収容部５５に収容し、その鍔部２ａを受部５ａに当接させることで後方への位置が規制される。このようにすることで、スイッチ装置５１を、対応する取付穴５６に組み付けることが可能となる。
【０００５】
この場合、スイッチ装置５１（スイッチケース５２）を例えば上下反転させた状態で取付穴５６に取り付けようとすると、取付穴５６のガイド凹部５７に対して、スイッチケース５２のガイド凸部５８の位置が対応しないため、ガイド凹部５７にガイド凸部５８を嵌合させることができないとともに、スイッチケース５２を取付穴５６に挿入することができず、結果的にスイッチ装置５１を取付穴５６の組み付けることができない。これにより、取付穴５６に対してスイッチ装置５１の誤組付を防止することができる。
【先行技術文献】
【特許文献】
【０００６】
【特許文献１】特開２０１０−１０２９２７号公報
【特許文献２】特開２００７−３１７３９６号公報
【発明の概要】
【発明が解決しようとする課題】
【０００７】
ところで、上記したような誤組付防止構造として、図１０の例が考えられる。この場合、取付穴５６において、対向する２辺、この場合上辺と下辺にそれぞれガイド凹部５７を１個ずつ設ける。ガイド凹部５７を設ける位置として、上辺の左端部と右端部、および下辺の左端部と右端部とした場合、（１）から（４）の４通りが考えられる。具体的には、ガイド凹部５７は、（１）の場合、上辺の左端部と下辺の左端部、（２）の場合、上辺の左端部と下辺の右端部、（３）の場合、上辺の右端部と下辺の左端部、（４）の場合、上辺の右端部と下辺の右端部となる。スイッチケース５２においては、ガイド凸部５８を、上記ガイド凹部５７と対応する位置に設ける。
【０００８】
このような構成とした場合、次のような不具合がある。すなわち、（１）のスイッチ装置５１（スイッチケース５２）を上下反転させると、ガイド凸部５８の位置が（４）の取付穴５６のガイド凹部５７と対応することになるため、（４）の取付穴５６に誤って組み付けることが可能になってしまう。このため、誤組付防止の組合せとして４通りあっても、３通りしか有効に活用できないことになる。
【０００９】
本発明は上記した事情に鑑みてなされたものであり、その目的は、組付部品を上下反転させた場合でも誤組付けできてしまう組合せをなくすことができて、全ての組合せを有効に活用することができる誤組付防止構造を提供することにある。
【課題を解決するための手段】
【００１０】
上記した目的を達成するために、本発明は、組付部品を、対応する適正な取付穴に挿入して組み付けるための誤組付防止構造であって、前記組付部品および前記取付穴のうちの一方における対向する２辺にそれぞれガイド凸部を有するとともに、他方における対向する２辺に前記ガイド凸部が嵌合するガイド凹部を有し、前記ガイド凸部および前記ガイド凹部の形状は、正面から見て左右非対称であることを特徴とする。
【発明の効果】
【００１１】
例えば組付部品を上下反転させた場合において、当該組付部品と、これと本来は対応しない取付穴との間で、これらのガイド凸部とガイド凹部の位置が合ったとしても、それらガイド凸部とガイド凹部とが嵌合することはない。このため、組付部品を上下反転させた場合でも誤組付けできてしまう組合せをなくすことができて、全ての組合せを有効に活用することが可能となる。
【図面の簡単な説明】
【００１２】
【図１】本発明の第１実施形態を示す図であり、（ａ）は取付穴部分の正面図、（ｂ）はスイッチ装置の概略的な斜視図、（ｃ）はスイッチケースの縦断正面図
【図２】（１）〜（１６）は取付穴のガイド凹部とスイッチケースのガイド凸部の配置の組合せ例を示す図
【図３】作用説明図その１
【図４】作用説明図その２
【図５】比較例を示す図２相当図
【図６】本発明の第２の実施形態を示すもので、図２（１）相当図
【図７】本発明の第３の実施形態を示すもので、図２（１）相当図
【図８】従来例を示すもので、取付穴およびスイッチ装置の概略的な斜視図
【図９】（ａ）は取付穴の正面図、（ｂ）はスイッチケースの縦断正面図
【図１０】（１）〜（４）は取付穴のガイド凹部とスイッチケースのガイド凸部の組合せ例を示す図
【発明を実施するための形態】
【００１３】
（第１の実施形態）
以下、本発明の第１の実施形態について図１から図５を参照して説明する。まず図１の（ａ）には、複数個、この場合４個の取付穴１が示されている。これら４個の取付穴１は、取付部としてのパネル部２に形成されている。パネル部２としては、例えば車両のインストルメントパネルである。各取付穴１は、矩形状をなしていて、その周囲部には、図８および図９で示したような凹部３および受部３ａが設けられている。
【００１４】
図１（ｂ）には、各取付穴１に対応する組付部品として４個のスイッチ装置４の外観斜視図が概略的に示されている。各スイッチ装置４は、図８のスイッチ装置５１と同様に、スイッチケース５と、当該スイッチケース５の前部に押圧操作可能に設けられた押釦６を備えている。スイッチケース５の内部には、押釦６の押圧操作に基づきオンオフ操作されるスイッチ要素（図示せず）が設けられている。スイッチケース５は、ほぼ矩形筒状をなしていて、前部の外周部に鍔部７を一体に有している。
【００１５】
そして、４個の取付穴１と、４個のスイッチ装置４のスイッチケース５との誤組付を防止するために、これらに誤組付防止の手段が設けられている。具体的には、取付穴１においては、対向する２辺、この場合上辺と下辺に、それぞれ１個ずつのガイド凹部１０が設けられている。上辺側のガイド凹部１０の形状は、左下部に直角部を有するとともに、右側に右下がりの斜辺を有する直角三角形である。また、下辺側のガイド凹部１０の形状は、上辺側のガイド凹部１０を上下反転させた形状であり、左上部に直角部を有するとともに、右側に右上がりの斜辺を有している。上辺側のガイド凹部１０も、下辺側のガイド凹部１０も、正面から見て左右非対称の三角形である。
【００１６】
図１（１）の取付穴１においては、上辺側のガイド凹部１０は左端部に配置され、下辺側のガイド凹部１０も左端部に配置されている。図１（２）の取付穴１においては、上辺側のガイド凹部１０は左端部に配置され、下辺側のガイド凹部１０は中央部右に配置されている。図１（３）の取付穴１においては、上辺側のガイド凹部１０は中央部左に配置され、下辺側のガイド凹部１０は右端部に配置されている。図１（４）の取付穴１においては、上辺側のガイド凹部１０は右端部に配置され、下辺側のガイド凹部１０も右端部に配置されている。したがって、図１の（１）〜（４）の４個の取付穴１は、ガイド凹部１０の位置の組合せが互いの間で異なっている。
【００１７】
図１（１）〜（４）の取付穴１に対応する各スイッチ装置４のスイッチケース５には、（ｃ）に示すように、対向する２辺、この場合上辺と下辺に、それぞれ１個ずつのガイド凸部１１が設けられている。これらガイド凸部１１は、対応するガイド凹部１０に嵌合する大きさ、向きの直角三角形をなしている。上辺側のガイド凸部１１も、下辺側のガイド凸部１１も、正面から見て左右非対称の三角形である。
【００１８】
具体的には、図１（１）の取付穴１に対応するスイッチケース５においては、上辺側のガイド凸部１１は左端部に配置され、下辺側のガイド凸部１１も左端部に配置されている。図１（２）の取付穴１に対応するスイッチケース５においては、上辺側のガイド凸部１１は左端部に配置され、下辺側のガイド凸部１１は中央部右に配置されている。図１（３）の取付穴１に対応するスイッチケース５においては、上辺側のガイド凸部１１は中央部左に配置され、下辺側のガイド凸部１１は右端部に配置されている。図１（４）の取付穴１に対応するスイッチケース５においては、上辺側のガイド凸部１１は右端部に配置され、下辺側のガイド凸部１１も右端部に配置されている。したがって、図１の（１）〜（４）のスイッチケース５は、ガイド凸部１１の位置の組合せが互いの間で異なっている。
【００１９】
ここで、取付穴１において、上辺および下辺にガイド凹部１０を１個ずつとし、かつガイド凹部１０を設ける位置を、上辺および下辺のそれぞれにおける左端部、中央部左、中央部右、右端部の４箇所とした場合、ガイド凹部１０を設ける位置の組み合わせとしては、図２（ａ）の（１）〜（１６）に示すように１６通り（４×４＝１６）が考えられる。具体的には、（１）〜（４）は、上辺側のガイド凹部１０はいずれも左端部に位置し、下辺側のガイド凹部１０は左端部、中央部左、中央部右、右端部に順にずれている。（５）〜（８）は、上辺側のガイド凹部１０はいずれも中央部左に位置し、下辺側のガイド凹部１０は左端部、中央部左、中央部右、右端部に順にずれている。（９）〜（１２）は、上辺側のガイド凹部１０はいずれも中央部右に位置し、下辺側のガイド凹部１０は左端部、中央部左、中央部右、右端部に順にずれている。そして、（１３）〜（１６）は、上辺側のガイド凹部１０はいずれも右端部に位置し、下辺側のガイド凹部１０は左端部、中央部左、中央部右、右端部に順にずれている。上辺側の各ガイド凹部１０および下辺側の各ガイド凹部１０は、ともに右側に斜辺を有していて、同じ方向を向いている。
【００２０】
また、スイッチ装置４のスイッチケース５においても、上辺および下辺にガイド凸部１１を１個ずつとし、かつガイド凸部１１を設ける位置を、上辺および下辺のそれぞれにおける左端部、中央部左、中央部右、右端部の４箇所とした場合、ガイド凹部１０の場合と同様に、ガイド凸部１１を設ける位置の組み合わせとしては、図２（ｂ）の（１）〜（１６）に示すように１６通りが考えられる。上辺側の各ガイド凸部１１および下辺側の各ガイド凸部１１は、ともに右側に斜辺を有していて、同じ方向を向いている。
【００２１】
図１（１）の取付穴１におけるガイド凹部１０の配置は、図２（１）の取付穴１のガイド凹部１０の配置と同じである。図１（２）の取付穴１におけるガイド凹部１０の配置は、図２（３）の取付穴１のガイド凹部１０の配置と同じである。図１（３）の取付穴１におけるガイド凹部１０の配置は、図２（８）の取付穴１のガイド凹部１０の配置と同じである。図１（４）の取付穴１におけるガイド凹部１０の配置は、図２（１６）の取付穴１のガイド凹部１０の配置と同じである。
【００２２】
同様に、図１（１）のスイッチケース５におけるガイド凸部１１の配置は、図２（１）のスイッチケース５におけるガイド凸部１１の配置と同じである。図１（２）のスイッチケース５におけるガイド凸部１１の配置は、図２（３）のスイッチケース５におけるガイド凸部１１の配置と同じである。図１（３）のスイッチケース５におけるガイド凸部１１の配置は、図２（８）のスイッチケース５におけるガイド凸部１１の配置と同じである。図１（４）のスイッチケース５におけるガイド凸部１１の配置は、図２（１６）のスイッチケース５におけるガイド凸部１１の配置と同じである。
【００２３】
上記構成において、図１（１）〜（４）の各スイッチ装置４のスイッチケース５を、対応する取付穴１に挿入することで、正しく組み付けることができる。このとき、スイッチケース５の各ガイド凸部１１が、対応する取付穴１のガイド凹部１０に嵌合する。
【００２４】
ここで、仮に図１（１）のスイッチ装置４のスイッチケース５を上下反転させた状態で、図１（４）の取付穴１に挿入しようとした場合、図３に示すように、スイッチケース５のガイド凸部１１と取付穴１のガイド凹部１０の位置は対応するが、それらの形状は合致しないため、ガイド凸部１１をガイド凹部１０に嵌合させることはできない。したがって、図１（１）のスイッチ装置４を上下反転させたとしても、これを、図１（４）の取付穴１に誤って組み付けてしまうことを防止することができる。
【００２５】
同様に、仮に図１（２）のスイッチ装置４のスイッチケース５を上下反転させた状態で、図１（３）の取付穴１に挿入しようとした場合、図４に示すように、スイッチケース５のガイド凸部１１と取付穴１のガイド凹部１０の位置は対応するが、それらの形状は合致しないため、ガイド凸部１１をガイド凹部１０に嵌合させることはできない。したがって、この場合も、図１（２）のスイッチ装置４を上下反転させたとしても、これを、図１（３）の取付穴１に誤って組み付けてしまうことを防止することができる。
【００２６】
図５に、本実施形態に対する比較例を示す。この比較例では、取付穴１におけるガイド凹部２０と、スイッチケース５におけるガイド凸部２１の形状が、上記した第１実施形態とは異なっている。すなわち、ガイド凹部２０は矩形状（四角）、ガイド凸部２１も、そのガイド凹部２０に嵌合する矩形状（四角）である。このような形状のガイド凹部２０を、取付穴１の対向する２辺に本実施形態と同様に設ける場合の組み合わせは、図５（ａ）の（１）〜（１６）に示すように１６通り考えられる。また、ガイド凸部２１も、スイッチケース５の対向する２辺に本実施形態と同様に設ける場合の組み合わせは、図５（ｂ）の（１）〜（１６）に示すように１６通り考えられる。
【００２７】
この図５の比較例において、例えば（１）のスイッチケース５を上下反転させた状態で、（１６）の取付穴１に挿入しようとした場合、ガイド凸部２１とガイド凹部２０の位置が対応するとともに、そのガイド凸部２１がガイド凹部２０に嵌合し得る形状である。このため、ガイド凸部２１をガイド凹部２０に嵌合させることで、（１）のスイッチケース１を（１６）の取付穴１に誤って組み付けてしまうことが可能になる。このため、（１）の例を有効とした場合、（１６）の例は使用できないことになる。
【００２８】
同様に、（２）のスイッチケース５を上下反転させた場合、そのガイド凸部２１が、（１２）の取付穴１のガイド凹部２０の位置および形状に対応する。このため、（２）の例を有効とした場合、（１２）の例は使用できないことになる。同様に、（３）のスイッチケース５を上下反転させた場合、そのガイド凸部２１が、（８）の取付穴１のガイド凹部２０の位置および形状に対応する。このため、（３）の例を有効とした場合、（８）の例は使用できないことになる。同様に、（５）のスイッチケース５を上下反転させた場合、そのガイド凸部２１が、（１５）の取付穴１のガイド凹部２０の位置および形状に対応する。このため、（５）の例を有効とした場合、（１５）の例は使用できないことになる。同様に、（６）のスイッチケース５を上下反転させた場合、そのガイド凸部２１が、（１１）の取付穴１のガイド凹部２０の位置および形状に対応する。このため、（６）の例を有効とした場合、（１１）の例は使用できないことになる。さらに、（９）のスイッチケース５を上下反転させた場合、そのガイド凸部２１が、（１４）の取付穴１のガイド凹部２０の位置および形状に対応する。このため、（９）の例を有効とした場合、（１４）の例は使用できないことになる。
【００２９】
上記したように、図５の比較例においては、ガイド凹部２０およびガイド凸部２１の形状が単純な四角形で、正面から見て左右対称な形状であるため、１８０度反転させると同じ形状となってしまう。このため、図５の比較例においては、１６通りの組み合わせのうち、６通りの組み合わせは使用できないことになり、１０通りしか有効に活用できないことになる。
【００３０】
これに対して、本実施形態においては、ガイド凹部１０およびガイド凸部１１の形状は、正面から見て左右非対称な形状であるため、１８０度反転させても同じ形状とはならない。このため、本実施形態においては、組付部品であるスイッチ装置４を上下反転させた場合でも誤組付ができてしまう組合せをなくすことができて、図２に示した１６通り全ての組合わせを有効に活用することができるようになる。
【００３１】
また、上記した実施形態においては、ガイド凹部１０およびガイド凸部１１は左右非対称の三角形とすることで、簡素な形状であり、複雑な形状とは違い、必要なスペースを極力小さくできるとともに、製造性も良好にできる利点がある。
【００３２】
また、上記した実施形態においては、複数、この場合４個のスイッチケース５のそれぞれを、４個の取付穴１のうち対応する適正な取付穴１に挿入して組み付けるための誤組付防止構造であって、スイッチケース５のガイド凸部１１および取付穴１のガイド凹部１０の位置は、複数のスイッチケース５および複数の取付穴１で異なっている。
【００３３】
（第２の実施形態）
図６は、本発明の第２の実施形態を示す。この第２の実施形態では、取付穴１におけるガイド凹部１２、およびスイッチケース５のガイド凸部１３の形状が第１の実施形態とは異なっている。具体的には、ガイド凹部１２およびガイド凸部１３の形状は、矩形状の一端部を斜めに切断したような四角形となっている。この形状のものでも、正面から見て左右非対称であるので、第１の実施形態と同様な作用効果を得ることができる。
【００３４】
（第３の実施形態）
図７は、本発明の第３の実施形態を示す。この第３の実施形態では、取付穴１におけるガイド凹部１４、およびスイッチケース５のガイド凸部１５の形状が第１の実施形態とは異なっている。具体的には、ガイド凹部１４およびガイド凸部１５の形状は、矩形状の部分の一側面から、正面から見て右側へ三角形が突出した形状となっている。この形状のものでも、正面から見て左右非対称であるので、第１の実施形態と同様な作用効果を得ることができる。
【００３５】
（その他の実施形態）
ガイド凹部１０，１２，１４およびガイド凸部１１，１３，１５の形状としては、正面から見て左右非対称であれば、上記した実施形態の形状以外とすることもできる。
上記した各実施形態では、取付穴１側にガイド凹部１０，１２，１４を設け、スイッチケース５側にガイド凸部１１，１３，１５を設けた構成としたが、これに代えて、取付穴１側にガイド凸部を設け、スイッチケース５側にそのガイド凸部に嵌合するガイド凹部を設ける構成とすることもできる。
組付部品としてはスイッチ装置４以外の部品でもよいことは勿論である。
本発明は上記した各実施形態にのみ限定されるものではなく、要旨を逸脱しない範囲内で適宜変更して実施することができる。
【符号の説明】
【００３６】
図面中、１は取付穴、２はパネル部（取付部）、４はスイッチ装置（組付部品）、５はスイッチケース、１０はガイド凹部、１１はガイド凸部、１２はガイド凹部、１３はガイド凸部、１４はガイド凹部、１５はガイド凸部を示す。
【図１】
2014154427.tif 000003
【図２】
2014154427.tif 000004
【図３】
2014154427.tif 000005
【図４】
2014154427.tif 000006
【図５】
2014154427.tif 000007
【図６】
2014154427.tif 000008
【図７】
2014154427.tif 000009
【図８】
2014154427.tif 000010
【図９】
2014154427.tif 000011
【図１０】
2014154427.tif 000012